(57)【要約】      （修正有）【課題】コードが必要長さに整理されるとともに、配線作業の際には電気機器を引き出して作業できる電気機器収納装置を提供する。【解決手段】収納位置、及び収納位置から引き出された取り出し位置の間をスライド可能に構成され、かつ電気機器を載せる載置台と、前記電気機器に接続されたコード６を収容するコード整理器７とを具え、前記コード整理器７は、載置台が取り出し位置へ引き出される際には収容したコード６を送り出し、かつ載置台が収納位置へ戻る際にはコード６の過度な緩みをなくするため、コード６を引き戻して収容する。【選択図】図２
2007012703.tif 000002
【特許請求の範囲】
【請求項１】
収納位置、及び収納位置から引き出された取り出し位置の間をスライド可能に構成され、かつ電気機器を載せる載置台と、前記電気機器に接続されたコードを収容するコード整理器とを具え、
前記コード整理器は、載置台が取り出し位置へ引き出される際には収容したコードを送り出し、かつ載置台が収納位置へ戻る際にはコードの過度な緩みをなくするため、コードを引き戻して収容することを特徴とする電気機器収納装置。
【請求項２】
前記コード整理器は、コードを巻き取ることのできる互いに平行で一対の保持軸を有し、
前記保持軸は、少なくとも一方が相方の支持軸に近づく方向にバネ力に抗してスライド可能に形成されることを特徴とする請求項１記載の電気機器収納装置。
【請求項３】
前記コード整理器は、バネ力によってコードを巻き取ることのできるコード巻き取り器により構成されることを特徴とする請求項１記載の電気機器収納装置。
【請求項４】
前記載置台は、前面が開口した箱状の収納家具本体の内部に、前後にスライド可能に支持された棚板であって、
前記棚板の後部にコード整理器が設けられたことを特徴とする請求項１〜３のいずれかに記載の電気機器収納装置。
【請求項５】
前記載置台は、下端にキャスターを有する複数本の支柱間で水平に支持されたワゴンの天板により構成されることを特徴とする請求項１〜３のいずれかに記載の電気機器収納装置。
【発明の詳細な説明】
【技術分野】
【０００１】
本発明は、ＡＶ機器をはじめとする各種の電気機器を便利に収容しうる電気機器収納装置に関する。
【背景技術】
【０００２】
電気機器の中でも、特にコンポ、テレビモニタ、ビデオ、ＤＶＤなどを含むＡＶ機器類は、電源コードの他、アンテナ線、機器相互をつなぐ信号線、スピーカーコードなど多くのコードで配線されて設置される。そしてこれらのコード類は、機器類の背部で、相互に絡み合った状態で配置されている。従って、これら複数の機器のコンポーネントの買い替え、組合せの変更、或いは増設の場合には、前記配線をやり替えることが必要となり、コードが交錯しているため、その作業は大変手間がかかり、またその結果誤って配線された時には故障の原因となり、或いは機器の機能を充分発揮できないこともあった。
【０００３】
また通信線が交錯する場合には、微小な電磁波による電波干渉を招き、ノイズを発生して電気機器の本来の機能を損なう結果を招き易い。さらには、掃除のやりにくい電気機器の後で、しかも絡み合った沢山のコードの周囲には埃がたまり易く、不衛生になりがちであった。
【０００４】
そこで、図７、８に示すように、電気機器ｅを収容する収納家具本体ａの後部に一対の対峙する棒状の保持具ｂを立設して、この保持具ｂに余った長さのコードｄを巻回することによりコードｄをコンパクトに収容できるコード整理装置が提案されている（例えば、特許文献１参照）。
【０００５】
【特許文献１】特開２００３−２０９３７７号公報
【発明の開示】
【発明が解決しようとする課題】
【０００６】
前記電気機器ｅの配線をやり直したり、変更、追加配線する場合などには、電気機器ｅの背部に設けられた接続端子が覘けて、しかも作業者の手が充分に入れられるスペースが確保できるよう、電気機器ｅを手前に引き出して作業する必要がある。しかしながら、余った長さは前記保持具ｂに巻回して短く収容されたコードｄによって、電気機器ｅが拘束されて、手前に充分引き出すことが出来ない。その結果、配線作業を手探りで行なわざるを得ず、熟練が要求されるとともに作業能率が低下し、更には誤って配線されて電気機器ｅの故障を招いたり、コードｄが引っ張られて断線する恐れがある。
【０００７】
本発明は、載置台が取り出し位置へ引き出される際には収容したコードを送り出し、かつ載置台が収納位置へ戻る際にはコードを引き戻して収容するコード整理器を設けることを基本とし、コードが必要長さに整理されるとともに、配線作業の際には電気機器を引き出して作業できる電気機器収納装置の提供を課題としている。
【課題を解決するための手段】
【０００８】
前記目的を達成するために、請求項１に係る発明は、収納位置、及び収納位置から引き出された取り出し位置の間をスライド可能に構成され、かつ電気機器を載せる載置台と、前記電気機器に接続されたコードを収容するコード整理器とを具え、前記コード整理器は、載置台が取り出し位置へ引き出される際には収容したコードを送り出し、かつ載置台が収納位置へ戻る際にはコードの過度な緩みをなくするため、コードを引き戻して収容することを特徴とする。
【０００９】
請求項２に係る発明では、前記コード整理器は、コードを巻き取ることのできる互いに平行で一対の保持軸を有し、前記保持軸は、少なくとも一方が相方の支持軸に近づく方向にバネ力に抗してスライド可能に形成され、また請求項３に係る発明においては、前記コード整理器は、バネ力によってコードを巻き取ることのできるコード巻き取り器により構成されることを特徴とする。
【００１０】
請求項４に係る発明では、前記載置台は、前面が開口した箱状の収納家具本体の内部に、前後にスライド可能に支持された棚板であって、前記棚板の後部にコード整理器が設けられ、また請求項５に係る発明において、前記載置台は、下端にキャスターを有する複数本の支柱間で水平に支持されたワゴンの天板により構成されることを特徴とする。
【発明の効果】
【００１１】
請求項１に係る発明は、オーディオ機器をはじめ多くの配線が交錯する電気機器の背部において、コード整理器によりコードが必要長さに整理されるため、配線の変更、追加などの作業がやり易くなるとともにノイズによる電波障害を抑制でき、更にはゴミの付着を減少して良好な衛生状態が維持できる。しかもコード整理器は、載置台の移動に連動して収容したコードを送り出し、かつ元の収納位置へ戻るときには引き戻して過度な緩みを防止できる。従って例えばオーディオ機器の配線変更などの際には、機器類を手前に引き出して楽な姿勢で、配線部を直接覘きながら効率的に作業し、或いはレンジ、コーヒーメーカーなどの家電機器を必要な使用場所に移動させ、使用後は収納位置に戻して便利に取扱いできる。
【００１２】
請求項２に係る発明において、平行で一対の保持軸に巻回したコードは確実に保持され、しかも保持軸はバネ力に抗してスライドしうるため、載置台の出し入れに連動して、コードは必要長さで、しかも緩みなく延出する。また請求項３に係る発明では、コード巻き取り器によりコードが緩みなく巻き取られるため、コードの延出長さを適度に調整できる上、載置台は支障なく移動しうる。
【００１３】
請求項４に係る発明のように構成すると、納家具本体の奥部に入った電気機器を前に引き出すことにより、配線部の確認、配線変更などの作業を簡単に行える。しかも、棚板後部のコード整理器により、収納家具本体奥部においてコードが錯綜することがない。また請求項５に係る発明では、ワゴンのキャスターによって、電気機器を好適な位置に移動して使用でき、かつ使用後に収納位置に戻しても、コードが常に必要長さに引き出されるため、コード長さにより移動範囲が制約されたり、或いは長過ぎるコードに足を引っ掛けることもなく、便利に取扱いできる。
【発明を実施するための最良の形態】
【００１４】
以下、本発明の実施の一形態を、図示例とともに説明する。図１に示すように、電気機器収納装置１は、電気機器４を載せる載置台５と、その電気機器４のコード６を収容するコード整理器７とを含み構成される。そして本形態の載置台５は、前面が開口した箱状の収納家具本体１０の上部にテレビモニタ２２を設置するテレビ台２３を設けたＡＶ収納家具２４に装備されたものが例示される。すなわち、前記ＡＶ収納家具２４のテレビ台２３の下は、ＤＶＤプレーヤー、ビデオプレーヤー、オーディオコンポなどのＡＶ機器を収容するため、棚板１１を設けて上下に区画された収納部２５が形成され、前記載置台５はこの棚板１１として設けられ、各種プレーヤーなどの電気機器４を載置するよう構成されている。
【００１５】
前記棚板１１は、横長矩形板状をなしている。収納家具本体１０の双方の側板１０Ａ、１０Ａの内面に、支持レール２６、２６が同高さに取り付けられ、この支持レール２６、２６には、互いに向き合う支持溝２６Ａ、２６Ａが形成されている。前記棚板１１は、その両側部を前記支持レール２６の支持溝２６Ａに挿入することにより、前後にスライド可能に支持される。そのため、棚板１１は、図１の実線で示される収納家具本体１０内に位置する収納位置２と、鎖線で示される収納家具本体１０の前面開口から前に引き出された取り出し位置３との間を移動可能に構成されている。なお棚板１１は、前記収納部２５に２段以上形成することもできる。
【００１６】
前記収納家具本体１０、テレビ台２３、及び棚板１１は、杉、松、樅、栂などの針葉樹、およびナラ、チーク、ラワンなどの広葉樹を含む無垢木材、又は合板など基板上に、ナラ、サクラ、チーク、ケヤキなどを０．２〜０．６ｍｍ程度にスライスした突き板、又はポリエチレン、ポリプロピレン、エチレン酢ビ樹脂（ＥＶＡ）などオレフィン系樹脂、メラミン樹脂、ポリエステル樹脂などを用いた化粧シートを貼着した化粧板、或いは縦フレーム材、横フレーム材を矩形状に枠組みした外周枠の内側に補強桟を架け渡し形成された木製のパネルフレームの両側に、化粧板を貼着したフラッシュパネルなどを用いて形成される。
【００１７】
また棚板１１は、前記以外にも炭素鋼、ステンレス鋼、合金鋼を含む鉄鋼材料を用いた薄鋼板のプレス成形、或いはポリエチレン樹脂、ポリプロピレン樹脂、ポリスチレン樹脂、ＡＢＳ樹脂、ポリエチレンテレフタレート（ＰＥＴ）などの熱可塑性樹脂、フェノール樹脂、メラミン樹脂、ユリア樹脂、不飽和ポリエステル樹脂、エポキシ樹脂などの熱硬化性樹脂を用いた圧縮成形、射出成形、押し出し成形により形成することもできる。
【００１８】
前記コード整理器７は、本形態では、棚板１１の後部に設けられ、棚板１１に載置された電気機器４の背部から延出するコード６を収容している。本形態のコード整理器７は、図２に示すように、棚板１１の後部に棚板１１の横巾方向に向いて穿設されたスリット２７と、棚板１１の横方向に対峙して設けられた一対の保持軸８とをとを含み構成されたものを例示している。そして前記保持軸８は、一方が棚板１１上に固定されて静の保持軸８Ｓを形成し、他方は前記スリット２７に挿入されて棚板１１の横巾方向にスライド自在な動の保持軸８Ｍを形成している。この動の保持軸８Ｍは、上端部、中間部及び下端部に各々同径に形成された円鍔状の上、中、下のフランジ２８Ｕ、２８Ｍ、２８Ｄが設けられる。そして中、下のフランジ２８Ｍ、２８Ｄが、棚板１１の上、下面に係合することによって、動の保持軸８Ｍがスリット２７内を垂直を保ちつつ円滑にスライドする動作が支持される。さらに上、中のフランジ２８Ｕ、２８Ｍによって、コード６を保持しうるコード保持溝２９が形成される。
【００１９】
前記動の保持軸８Ｍの下のフランジ２８Ｄには、他端が棚板１１に固着された引っ張りバネ３０Ａからなる引き具３０が固着されている。これにより動の保持軸８Ｍは、バネ力により外側に向けて付勢され、他に負荷が作用しない時は、前記バネ力に引き寄せられてスリット２７の外端側で静止している。
【００２０】
前記静の保持軸８Ｓは、同様に上、中、下のフランジ２８Ｕ、２８Ｍ、２８Ｄが設けられ、各々のフランジ間で上下２段のコード保持溝２９、２９を形成している。そして、図３Ａに示すように収納位置２において、棚板１１上に設置された電気機器４の電源コード、スピーカーコードなどのコード６を、静の保持軸８Ｓと動の保持軸８Ｍとの間に巻回することにより、配線されて余った長さ分を整理することができる。然して、オーディオ機器をはじめ多くの配線が交錯する電気機器４の背部が整然と整理されるため、多くの種類が混在した配線系統を一目で確認でき、その結果配線の変更、追加などの作業がやり易くなる。更にはコード６は交錯することなく整列されるため、電波障害を抑制してノイズ発生を防止でき、更にはゴミの付着を減少して良好な衛生状態を維持することができる。
【００２１】
しかも動の保持軸８Ｍは、バネ力に抗して静の保持軸８Ｓ側へスライド可能に形成されるため、図３Ｂに示すように、棚板１１が前記収納位置２から取り出し位置３へ引き出される時には、保持軸８間の間隔が狭くなって、これに巻回して収容されたコード６が送り出される。その結果棚板１１及びその上に載置された電気機器４をスムースに引き出すことができ、例えばオーディオ機器の配線変更などの際に、機器類を手前に引き出して楽な姿勢で、配線部を直接覘きながら効率的に作業しうる。
【００２２】
そして、これら作業終了後に、再度棚板１１を元の収納位置２にスライドさせる際は、前記動の保持軸８Ｍがバネ力によって静の保持軸８Ｓから離れる方向へ移動するため、前記収納位置２への移動によって再度生じるコード６の余裕長さ分が再度収容され、その結果過度な緩みが吸収されて整然とした配線状態が維持できる。しかも本形態では、一対の保持軸８間にコード６を巻回して収容するため、配線の作業性に優れるとともにコード６の保持が外れることなく確実に支持される。また棚板１１の引き出し時には、動の保持軸８Ｍがバネ力に抗してスライドするため、シンプルな構成によって、収容されたコード６は必要長さが緩みなく確実に延出される点で好ましい。
【００２３】
本形態のコード整理器７は、図２に示すように、向き合う保持軸８Ｓ、８Ｍを前後に２列並設した場合を例示している。しかし、収容するコード６の数、種類に応じて、向き合う保持軸８Ｓ、８Ｍを３列以上を配置して構成することもよい。
【００２４】
なお前記保持軸８は、例えば炭素鋼、ステンレス鋼、合金鋼を含む鉄鋼、及びアルミニウム、真鍮などの金属材料、或いはポリエチレン樹脂、ポリプロピレン樹脂、ポリスチレン樹脂、フェノール樹脂、不飽和ポリエステル樹脂などのプラスチック材料を用いて形成される。或いは純アルミに銅、マンガン、ケイ素、マグネシウムなどを添加したアルミニウム合金、純マグネシウムにアルミニウム、亜鉛、けい素、マンガンなど添加したマグネシウム合金、チタン合金などの軽量合金を用いると、軽く取扱い性が向上するうえ、高強度で、耐久性に優れる点で好ましい。
【００２５】
図４、５は他の実施形態を例示している。以下異なる内容について説明し、それ以外は図中に表れた主要な構成に同じ符号を付すのみとする。本形態の載置台５は、下端にキャスター１２を有する４本の支柱１３により水平に支持されたワゴン１４の天板１５として構成されたものが例示される。前記ワゴン１４は、例えば電子レンジなどの電気機器４を載置し、壁３１に沿って配列された食器戸棚３２、冷蔵庫などに挟まれた凹部３３内に出し入れ可能に配置される。
【００２６】
前記天板１５は、図５に示すように、その後部にコード整理器７が取り付けられる。本形態のコード整理器７は、図６にその内部構造を示すように、取付翼片３５を設けたシェルター３４と、このシェルター３４内に枢着される巻取りドラム３６と、この巻取りドラム３６を一方回転方向に付勢するゼンマイバネ３７とを具えたコード巻き取り器９からなる。そして一端を前記シェルター３４の前記枢着箇所から延出して雌プラグ３８に接続された延長コード３９が、前記巻取りドラム３６に巻回され、かつその他端がシェルター３４の周面から延出してコンセントに接続される差込プラグ４０までのびている。
【００２７】
しかして、前記雌プラグ３８に電気機器４の電源コードを接続するとともに差込プラグ４０を壁３１のコンセント４１に差し込むことにより電気機器４に通電して、ワゴン１４を前記壁３１に沿って形成された凹部３３内に配置すると、余った長さの延長コード３９は前記巻取りドラム３６に巻き取られて必要以上に緩むことがない。そして電気機器４の使用に際して、凹部３３からワゴン１４を引き出して移動させると、その動きに連動して巻取りドラム３６から延長コード３９が引き出され、その結果ワゴン１４はコード６に拘束されることなく、使用上都合の良い任意の位置に移動することができる。また電気機器４の使用後、再びワゴン１４を凹部３３へ戻すと、引き出された延長コード３９はバネ力により巻取りドラム３６に巻き取られるため、長過ぎるコード６に足を引っ掛けることもなく、便利に使用できる。
【００２８】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２９】
【図１】本発明の一実施の形態を例示する斜視図である。
【図２】その要部拡大斜視図である。
【図３】（Ａ）（Ｂ）は、その各々異なる使用状態を示す平面図である。
【図４】他の実施形態を例示する斜視図である。
【図５】その要部拡大斜視図である。
【図６】その異なる要部正面図である。
【図７】従来例の断面図である。
【図８】その斜視図である。
【符号の説明】
【００３０】
１      電気機器収納装置
２      収納位置
３      取り出し位置
４      電気機器
５      載置台
６      コード
７      コード整理器
８      保持軸
９      コード巻き取り器
１０      収納家具本体
１１      棚板
１２      キャスター
１３      支柱
１４      ワゴン
１５      天板
【図１】
2007012703.tif 000003
【図２】
2007012703.tif 000004
【図３】
2007012703.tif 000005
【図４】
2007012703.tif 000006
【図５】
2007012703.tif 000007
【図６】
2007012703.tif 000008
【図７】
2007012703.tif 000009
【図８】
2007012703.tif 000010